(57)【要約】【課題】ユーザがコンテンツのリストを選択せずとも、表示された画像コンテンツを順次変更する。【解決手段】複数の画像コンテンツの画像コンテンツリストを保持する画像コンテンツリスト保持部１０８と、画像コンテンツリスト保持部１０８に保持された画像コンテンツリストから複数の画像コンテンツを取得する画像コンテンツ取得部１０６と、画像コンテンツ取得部１０６により取得された１または２以上の画像コンテンツを含む表示画面を生成する表示画面生成部１１２と、ユーザによる、表示画面に含まれる画像コンテンツの選択要求を検出するユーザ選択要求検出部１０４と、を備える。【選択図】図１
2009181321.tif 000002
【特許請求の範囲】
【請求項１】
複数の画像コンテンツを含む表示画面を表示する表示装置であって：
前記複数の画像コンテンツのリストを保持する画像コンテンツリスト保持部と；
前記画像コンテンツリスト保持部に保持された前記画像コンテンツリストから複数の画像コンテンツを取得する画像コンテンツ取得部と；
前記画像コンテンツ取得部により取得された１または２以上の画像コンテンツを含む表示画面を生成する表示画面生成部と；
ユーザによる、前記表示画面に含まれる画像コンテンツの選択要求を検出するユーザ選択要求検出部と；
を備え、
前記表示画面生成部は、前記ユーザ選択要求検出部により検出されたユーザの選択要求に応じて、前記ユーザにより選択された画像コンテンツを、前記表示画面に含まれる１または２以上の画像コンテンツとは異なるコンテンツに変更することを特徴とする、表示装置。
【請求項２】
前記表示画面に含まれる画像コンテンツの数を決定する画像コンテンツ数決定部を備えることを特徴とする、請求項１に記載の表示装置。
【請求項３】
前記画像コンテンツ数決定部は、前記表示装置の表示機能に応じて画像コンテンツの数を決定することを特徴とする、請求項２に記載の表示装置。
【請求項４】
前記画像コンテンツ取得部は、前記画像コンテンツ数決定部により決定された画像コンテンツの数に応じて、前記画像コンテンツリストから画像コンテンツを取得することを特徴とする、請求項２に記載の表示装置。
【請求項５】
前記表示画面生成部は、前記ユーザ選択要求検出部により検出されたユーザの選択要求に応じて、前記ユーザにより選択された画像コンテンツを非表示とすることを特徴とする、請求項１に記載の表示装置。
【請求項６】
前記表示画面生成部は、前記画像コンテンツの数に応じて前記画像コンテンツの表示位置を決定し、
前記表示画面生成部により生成される前記表示画面に含まれる前記画像コンテンツに表示番号を付与する表示番号付与部と、
前記表示番号付与部により付与されたコンテンツ表示番号と、前記表示制御部により決定された前記画像コンテンツの表示位置の位置情報とを対応付けて記憶する表示画面管理テーブルと、
を備えることを特徴とする、請求項１に記載の表示装置。
【請求項７】
前記画像コンテンツ取得部は、画像コンテンツの属性情報に応じて画像コンテンツを取得する優先順位を決定することを特徴とする、請求項１に記載の表示装置。
【請求項８】
前記表示画面生成部は、前記画像コンテンツと、前記画像コンテンツを保持する画像コンテンツ保持用フォルダとを含む表示画面を生成し、
前記ユーザ選択要求検出部により検出されたユーザの選択要求に応じて、前記ユーザにより選択された画像コンテンツを、前記画像コンテンツ保持用フォルダに移動させる画像コンテンツ移動部を備えることを特徴とする、請求項１に記載の表示装置。
【請求項９】
複数の画像コンテンツを含む表示画面を表示する表示装置において実行される表示方法であって：
複数の画像コンテンツのリストが保持された画像コンテンツリスト保持部から複数の画像コンテンツを取得するステップと；
前記取得された複数の画像コンテンツのうち、１または２以上の画像コンテンツを含む表示画面を生成するステップと；
ユーザによる、前記表示画面に含まれる画像コンテンツの選択要求を検出するステップと；
ユーザによる前記画像コンテンツの選択要求に応じて、前記ユーザにより選択された画像コンテンツを、前記表示画面に含まれる１または２以上の画像コンテンツとは異なる画像コンテンツに変更するステップと；
を含むことを特徴とする、表示方法。
【請求項１０】
コンピュータを、
複数の画像コンテンツを含む表示画面を表示する表示装置であって、
前記複数の画像コンテンツのリストを保持する画像コンテンツリスト保持部と；
前記画像コンテンツリスト保持部に保持された前記画像コンテンツリストから複数の画像コンテンツを取得する画像コンテンツ取得部と；
前記画像コンテンツ取得部により取得された１または２以上の画像コンテンツを含む表示画面を生成する表示画面生成部と；
ユーザによる、前記表示画面に含まれる画像コンテンツの選択要求を検出するユーザ選択要求検出部と；
を備え、
前記表示画面生成部は、前記ユーザ選択要求検出部により検出されたユーザの選択要求に応じて、前記ユーザにより選択された画像コンテンツを、前記表示画面に含まれる１または２以上の画像コンテンツとは異なる画像コンテンツに変更することを特徴とする、表示装置として機能させるための、プログラム。
【発明の詳細な説明】
【技術分野】
【０００１】
本発明は、表示装置、表示方法およびプログラムに関し、特に、画像コンテンツを表示することが可能な表示装置、表示方法およびプログラムに関する。
【背景技術】
【０００２】
近年、パーソナルコンピュータ（以下、ＰＣとする）をインターネット等に接続して、検索キーワードを入力することで、検索サイトから検索結果としてコンテンツのリストを取得することが行われている。ユーザが検索を行った後にコンテンツを表示する場合には、検索結果として取得したコンテンツのリストから表示させるコンテンツを選択する。また、ハードディスクレコーダ等にテレビ番組が録画され、録画されたテレビ番組がリスト表示される場合にも、リスト表示された番組名の中から再生させる番組を選択している。
【０００３】
コンテンツのリストは、テキストデータやサムネイル等により表示される。当該コンテンツが画像、音声、映像等データ量の大きいものである場合に、ＰＣに十分なメモリ容量がなければ、コンテンツデータのすべてを記録することができず、サムネイル等を表示するのにも時間がかかるという問題があった。そこで、ＰＣのメモリの容量が制限されている場合にもコンテンツリストのサムネイルや詳細なメタデータを迅速に表示できるようにする技術が開示されている（例えば、特許文献１）。
【０００４】
また、最近では、テレビ番組のリスト等テキスト表示だけで内容を判断することが可能なコンテンツだけでなく、インターネットで配信される画像等、コンテンツのテキストリストのみでは内容を判断することが難しい場合も多くなってきている。この場合には、コンテンツよりファイルサイズの小さいサムネイルを表示画面に複数表示させ、表示されたサムネイルを選択する方法が考えられている。
【０００５】
しかし、サムネイルを利用したとしても、それはコンテンツの一部分を抜き出して代表しているに過ぎず、コンテンツの内容を正確に把握する事が難しいという問題があった。そこで、出来るだけ正確に内容を示す事が出来るようにする技術が開示されている。(例えば、特許文献２)。これらの技術はユーザが表示したい画像コンテンツを選択するための指標を与えるものであり、選択した画像コンテンツが真に表示するに値する画像コンテンツである場合に役に立つ技術である。
【０００６】
【特許文献１】特開２００７−１３３５１０号公報
【特許文献２】特開２００７−９６７２４号公報
【発明の開示】
【発明が解決しようとする課題】
【０００７】
しかし、表示されたコンテンツが表示するに値しなかった場合には、ユーザは、別の画像コンテンツを選択して表示することとなる。この場合、ユーザは、所望の画像コンテンツが表示されるまで、画像コンテンツの選択行為を繰り返さなければならないという問題があった。実際には、ＰＣのメモリサイズや表示エリア等の資源は有限であるため、別の画像コンテンツを選択する場合には、不要になった画像コンテンツの表示を消去した後に選択することとなる。
【０００８】
さらに、サムネイルの表示数が画像コンテンツのリスト数よりも少ない場合には、一度にすべての画像コンテンツのサムネイルを表示することができない。このような場合には、ＰＣの表示画面に表示可能なサムネイルが表示された後、ユーザは表示すべき画像コンテンツを選択する。しかし、表示画面上に表示したい画像コンテンツが無い場合には、それが見つかるまでページ送り操作を繰り返さなければならなかった。
【０００９】
元来、画像コンテンツを選択して表示させるためのステップは、選択対象リストの中に表示したい画像コンテンツが存在するという前提に立っている。そのようなシステムでは、ユーザが画像コンテンツを選択して表示することで十分であった。しかしＴＶのザッピングのように、与えられているコンテンツの中から、自分のフィーリングに合った画像コンテンツを見つけるような場合には、画像コンテンツを選択して表示する行為は煩わしく、面倒であるという問題があった。
【００１０】
そこで、本発明は、上記問題に鑑みてなされたものであり、本発明の目的とするところは、ユーザが表示したい画像コンテンツを選択せずとも、表示された画像コンテンツを順次変更することが可能な、新規かつ改良された表示装置、表示方法およびプログラムを提供することにある。
【課題を解決するための手段】
【００１１】
上記課題を解決するために、本発明のある観点によれば、複数の画像コンテンツを含む表示画面を表示する表示装置であって、複数の画像コンテンツのリストを保持する画像コンテンツリスト保持部と、画像コンテンツリスト保持部に保持された画像コンテンツリストから複数の画像コンテンツを取得する画像コンテンツ取得部と、画像コンテンツ取得部により取得された１または２以上の画像コンテンツを含む表示画面を生成する表示画面生成部と、ユーザによる、表示画面に含まれる画像コンテンツの選択要求を検出するユーザ選択要求検出部と、を備え、表示画面生成部は、ユーザ選択要求検出部により検出されたユーザの選択要求に応じて、ユーザにより選択された画像コンテンツを、表示画面に含まれる１または２以上の画像コンテンツとは異なる画像コンテンツに変更することを特徴とする、表示装置が提供される。
【００１２】
かかる構成によれば、複数の画像コンテンツリストを保持する画像コンテンツリスト保持部から表示可能な複数の画像コンテンツが取得されて、当該画像コンテンツを含む表示画面が生成される。そして、ユーザにより表示画面に含まれる画像コンテンツが選択されると、表示画面に含まれる画像コンテンツとは異なる画像コンテンツが画像コンテンツリスト保持部から取得される。表示画面生成部は、選択された画像コンテンツに代えて、取得された画像コンテンツを含む表示画面を生成して、生成した表示画面が表示される。
【００１３】
これにより、ユーザにより、表示画面から不要となった画像コンテンツが選択された後に、表示させる画像コンテンツが画像コンテンツリストから選択されなくとも、不要となった画像コンテンツが選択されるだけで、表示されている画像コンテンツとは別の画像コンテンツを自動的に表示することが可能となる。すなわち、ユーザが所望の画像コンテンツを見つけるまで、不要な画像コンテンツを選択して消去させ、表示させる画像コンテンツを選択して表示させる行為を繰り返す必要がなくなり、ユーザは不要な画像コンテンツを選択していくだけで、表示された画像コンテンツを順次に別の画像コンテンツに変更することが可能となる。
【００１４】
また、表示画面に含まれる画像コンテンツの数を決定する画像コンテンツ数決定部を備えるようにしてもよい。画像コンテンツ数決定部は、表示装置の表示機能に応じて画像コンテンツの数を決定するようにしてもよい。かかる構成により、表示装置のメモリ容量やＣＰＵ負荷や表示エリアの制限等の資源状況や表示画面を所定の数に分割する等のアプリケーションの要求などに応じて、表示する画像コンテンツの数を決定することができ、装置の負荷を減らして効率よく画像コンテンツを表示することが可能となる。
【００１５】
また、画像コンテンツ取得部は、画像コンテンツ数決定部により決定された画像コンテンツの数に応じて、画像コンテンツリストから画像コンテンツを取得するようにしてもよい。かかる構成により画像コンテンツ取得部により取得される画像コンテンツは、表示される画像コンテンツのみとなるため、無駄なメモリ容量を消費することなく画像コンテンツを表示させることが可能となる。
【００１６】
また、上記表示画面生成部は、ユーザ選択要求検出部により検出されたユーザの選択要求に応じて、ユーザにより選択された画像コンテンツを非表示とするようにしてもよい。
【００１７】
また、表示画面生成部は、画像コンテンツの数に応じて画像コンテンツの表示位置を決定し、表示画面生成部により生成される表示画面に含まれる画像コンテンツに表示番号を付与する表示番号付与部と、表示番号付与部により付与されたコンテンツ表示番号と、表示制御部により決定された画像コンテンツの表示位置の位置情報とを対応付けて記憶する表示画面管理テーブルと、を備えてもよい。
【００１８】
また、上記画像コンテンツ取得部は、コンテンツの属性情報に応じて画像コンテンツを取得する優先順位を決定するようにしてもよい。例えば、コンテンツの属性情報がユーザの嗜好等を収集した情報である場合には、収集したユーザの嗜好データに基づいて優先順位を決定することができる。かかる構成により、画像コンテンツリストからユーザが所望する画像コンテンツを優先して取得することが可能となる。
【００１９】
また、上記表示画面生成部は、画像コンテンツと、画像コンテンツを保持する画像コンテンツ保持用フォルダとを含む表示画面を生成し、ユーザ選択要求検出部により検出されたユーザの選択要求に応じて、ユーザにより選択された画像コンテンツを、画像コンテンツ保持用フォルダに移動させる画像コンテンツ移動部を備えてもよい。かかる構成により、例えば、要、不要フォルダを作成して、コンテンツの内容を確認した後、必要であると判断した画像コンテンツを要フォルダに移動したり、不要であると判断した画像コンテンツを不要フォルダに移動したりする。また、星３つ、星２つ、星１つ等お気に入りランク別フォルダを作成して、コンテンツの内容を確認した後、特に気に入った場合には星３つフォルダに移動したり、気に入らなかった場合にはどのフォルダにも移動せず画像コンテンツを消去したりすることができる。これにより、表示画面から選択して消去した画像コンテンツを有効に活用することが可能となる。
【００２０】
上記課題を解決するために、本発明の別の観点によれば、複数の画像コンテンツを含む表示画面を表示する表示装置において実行される表示方法であって、複数の画像コンテンツのリストが保持された画像コンテンツリスト保持部から複数の画像コンテンツを取得するステップと、取得された複数の画像コンテンツのうち、１または２以上の画像コンテンツを含む表示画面を生成するステップと、ユーザによる、表示画面に含まれる画像コンテンツの選択要求を検出するステップと、ユーザによる画像コンテンツの選択要求に応じて、ユーザにより選択された画像コンテンツを、表示画面に含まれる１または２以上の画像コンテンツとは異なる画像コンテンツに変更するステップと、を含むことを特徴とする、表示方法が提供される。
【００２１】
上記課題を解決するために、本発明の別の観点によれば、コンピュータを、複数の画像コンテンツを含む表示画面を表示する表示装置であって、複数の画像コンテンツリストを保持する画像コンテンツリスト保持部と、画像コンテンツリスト保持部に保持された画像コンテンツリストから複数の画像コンテンツを取得する画像コンテンツ取得部と、画像コンテンツ取得部により取得された１または２以上の画像コンテンツを含む表示画面を生成する表示画面生成部と、ユーザによる、表示画面に含まれる画像コンテンツの選択要求を検出するユーザ選択要求検出部と、を備え、表示画面生成部は、ユーザ選択要求検出部により検出されたユーザの選択要求に応じて、ユーザにより選択された画像コンテンツを、表示画面に含まれる１または２以上の画像コンテンツとは異なる画像コンテンツに変更することを特徴とする、表示装置として機能させるための、プログラムが提供される。
【００２２】
かかるプログラムは、例えばＣＰＵ、ＲＯＭまたはＲＡＭなどを含むコンピュータのハードウェア資源に、上記のような表示装置の各構成の機能を実行させることができる。すなわち、当該プログラムを用いるコンピュータを、上述の表示装置として機能させることが可能である。
【発明の効果】
【００２３】
以上説明したように本発明によれば、ユーザがコンテンツのリストを選択せずとも、表示された画像コンテンツを順次変更することができる。
【発明を実施するための最良の形態】
【００２４】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２５】
まず、本発明の実施形態にかかる表示装置の概要について説明する。以下では、複数の画像コンテンツを表示可能な表示装置１００に本発明の表示装置を適用して以下説明する。表示装置１００は、複数の画像コンテンツを表示可能であるが、表示可能な表示数は、表示装置１００の表示エリアやメモリサイズなどの資源によって決定される。表示装置１００に画像コンテンツを表示する場合には、コンテンツを指定する必要があるが、一般的にはリスト化された画像コンテンツの中から選択して表示するという方法がとられる。最近では、テレビ番組のリスト等テキスト表示だけで内容を判断することが可能なコンテンツだけでなく、インターネットで配信される画像等、コンテンツのテキストリストのみでは内容を判断することが難しい場合も多くなってきているため、コンテンツのリストにサムネイルを用いて、画像コンテンツの内容を把握しやすくするような工夫がなされる事が多い。
【００２６】
しかし、サムネイルの表示数がコンテンツのリスト数よりも少ない場合には、一度にすべてのコンテンツのサムネイルを表示することができない。それゆえ、表示装置１００の表示画面に表示可能なサムネイルが表示された時に、ユーザが表示したい画像コンテンツのサムネイルが表示画面に表示されていない場合がある。この場合には、ユーザは表示したい画像コンテンツのサムネイルが表示画面に現れるまで、ページ送り操作を繰り返さなければならない。さらに、表示した画像コンテンツが、真にユーザの所望の画像コンテンツでは無い場合もある。これは、コンテンツのテキストリストやサムネイルから得られる情報の精度に限りがあるためである。従ってこのような場合には、ユーザは、現在表示させている画像コンテンツを消去して、別の表示したい画像コンテンツを表示するためにページ送りや、コンテンツのリストからの指定操作を行わなければならない。ここで、コンテンツのリストは、表示装置１００がインターネット等に接続されて、ユーザにより検索キーワード等が入力されて検索サイトから検索結果として取得することが可能なリストである。コンテンツのリストは、コンテンツよりも容量の小さいデータであって、テキストデータのリストであってもよいし、コンテンツのサムネイルリストであってもよい。
【００２７】
ユーザは、所望のコンテンツを見つけるまで、不要なコンテンツを選択して消去させ、コンテンツのリストから表示させるコンテンツを選択して表示させるという行為を繰り返さなければならない。そこで、上記のような事情に鑑みて本実施形態にかかる表示装置１００が創作されるに至った。本実施形態にかかる表示装置１００によれば、ユーザによりコンテンツのリストが選択されなくとも、表示された画像コンテンツを順次変更することが可能となる。
【００２８】
以下では、表示装置１００の一例として、ＰＣを示しているが、表示装置１００はかかる例に限定されず、例えば、家庭用映像処理装置（ＤＶＤレコーダ、ビデオデッキなど）、携帯電話、ＰＨＳ（Ｐｅｒｓｏｎａｌ  Ｈａｎｄｙｐｈｏｎｅ  Ｓｙｓｔｅｍ）、携帯用音楽再生装置、携帯用映像処理装置、ＰＤＡ（Ｐｅｒｓｏｎａｌ  Ｄｉｇｉｔａｌ  Ａｓｓｉｓｔａｎｔｓ）、家庭用ゲーム機器、携帯用ゲーム機器、家電機器、プリンタなどの情報処理装置であってもよい。また、表示装置１００は、ネットワークに接続して、画像配信サーバ等からコンテンツのリストを取得するようにしてもよいし、記録媒体に記録されたコンテンツからコンテンツのリストを取得してもよい。本実施形態では、表示装置１００は、コンテンツのリストを上記方法により予め取得している。以下、表示装置１００について詳細に説明する。
【００２９】
まず、図１に基づいて、表示装置１００の機能構成について説明する。図１は、表示装置１００の機能構成を示したブロック図である。表示装置１００は、ユーザ入力部１０２と、ユーザ選択要求検出部１０４と、画像コンテンツ取得部１０６と、画像コンテンツリスト保持部１０８と、表示部１１０と、表示画面生成部１１２と、表示コンテンツ管理部１１４と、画像コンテンツ数決定部１１６と、表示番号付与部１１８と、画像コンテンツ移動部１２０と、デコーダ１２２と、位置情報取得部１２４などを備える。
【００３０】
ユーザ入力部１０２は、ユーザの入力を受け付ける機能を有する入力インタフェースであって、例えば、マウス、キーボード、タッチパネル、ボタン、マイク、スイッチおよびレバーなどユーザが情報を入力するための入力手段と、ユーザによる入力に基づいて入力信号を生成して出力する入力制御回路などから構成されている。表示装置１００のユーザは、ユーザ入力部１０２を操作することにより、表示装置１００に対して各種のデータを入力したり処理動作を指示したりすることができる。
【００３１】
ユーザ選択要求検出部１０４は、ユーザ入力部１０２を介してユーザによって表示部１１０に表示された画像コンテンツの選択要求を検出する機能を有する。表示部１１０に複数の画像コンテンツが表示され、上記のユーザ入力部１０２を介してユーザにより表示された画像コンテンツから不要な画像コンテンツが選択される。ユーザ選択要求検出部１０４は、ユーザにより入力された画像コンテンツの選択情報、すなわち、ユーザによりどの画像コンテンツが選択されたかを表示コンテンツ管理部１１４に提供する。
【００３２】
画像コンテンツリスト保持部１０８は、複数の画像コンテンツのリストを保持する機能を有し、例えば、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）などの不揮発性メモリや、ハードディスクおよび円盤型磁性体ディスクなどの磁気ディスクや、ＣＤ−Ｒ（Ｃｏｍｐａｃｔ  Ｄｉｓｃ  Ｒｅｃｏｒｄａｂｌｅ）／ＲＷ（ＲｅＷｒｉｔａｂｌｅ）、ＤＶＤ−Ｒ（Ｄｉｇｉｔａｌ  Ｖｅｒｓａｔｉｌｅ  Ｄｉｓｃ  Ｒｅｃｏｒｄａｂｌｅ）／ＲＷ／＋Ｒ／＋ＲＷ／ＲＡＭ（Ｒａｍｄａｍ  Ａｃｃｅｓｓ  Ｍｅｍｏｒｙ）およびＢＤ（Ｂｌｕｅ−ｒａｙ  Ｄｉｓｃ（登録商標））―Ｒ／ＢＤ−ＲＥなどの光ディスクや、ＭＯ（Ｍａｇｎｅｔｏ  Ｏｐｔｉｃａｌ）ディスクなどの記憶媒体であってもよい。
【００３３】
画像コンテンツリスト保持部１０８に保持される画像コンテンツリストは、表示部１１０に表示される画像コンテンツのリストであって、上記のように、インターネット等のネットワークに接続して、画像配信サーバ等から画像コンテンツのリストを取得するようにしてもよいし、記録媒体に記録されたコンテンツから画像コンテンツのリストを取得してもよい。画像コンテンツのリストは、ユーザによりキーワードなどで検索された検索結果でもよいし、ユーザの嗜好等をメタデータとして当該メタデータに基づいて収集されたリストであってもよい。
【００３４】
画像コンテンツリストは、表示されるコンテンツに関する情報であってもよい。例えば、コンテンツのコンテンツＩＤや動画コンテンツ中のシーン検索の結果として表示するためのコンテンツの先頭からの位置を表す時間や、コンテンツのタイトル名およびコンテンツの記録場所等の情報である。コンテンツの記録場所は、インターネット上のコンテンツの存在場所を示すＵＲＬ（Ｕｎｉｆｏｒｍ  Ｒｅｓｏｕｒｃｅ  Ｌｏｃａｔｏｒ）であってもよい。コンテンツの存在場所がＵＲＬで示されている場合には、画像コンテンツを表示させる際に、インターネットに接続して当該コンテンツを取得するようにしてもよい。
【００３５】
画像コンテンツ取得部１０６は、画像コンテンツリスト保持部１０８に保持された画像コンテンツリストから複数の画像コンテンツを取得する機能を有する。画像コンテンツ取得部１０６は、画像コンテンツを、画像コンテンツリスト保持部１０８に保持されている画像コンテンツリストの先頭から順番に取得してもよいし、ランダムに取得してもよい。また、予め決めたルールに従って取得するようにしてもよい。画像コンテンツ取得部１０６は、画像コンテンツを取得した後、取得した画像コンテンツリストにフラグを付したり、画像コンテンツリストから削除したり、取得した回数を付加する等により取得したことが判別できるようにしてもよい。また、後述する画像コンテンツ数決定部１１６により決定された数に応じて画像コンテンツを取得するようにしてもよい。画像コンテンツ取得部１０６により取得された画像コンテンツは、表示コンテンツ管理部１１４に提供される。
【００３６】
表示コンテンツ管理部１１４は、ユーザにより入力された画像コンテンツの選択情報や画像コンテンツ取得部１０６により取得された画像コンテンツに基づいて、表示部１１０に表示させる画像コンテンツを管理する機能を有し、画像コンテンツ数決定部１１６、表示番号付与部１１８、画像コンテンツ移動部１２０などを備える。
【００３７】
画像コンテンツ数決定部１１６は、表示部１１０に表示される表示画面に含まれる画像コンテンツの数を決定する機能を有する。画像コンテンツ数決定部１１６により決定される画像コンテンツの数は、表示装置１００のメモリ容量やＣＰＵ負荷や表示エリアの制限等の資源状況や表示画面を所定の数に分割する等のアプリケーションの要求などに応じて、予め決められた固定値であってもよい。また、表示装置１００の資源状況を監視して時間軸とともに変化させるようにしてもよい。
【００３８】
画像コンテンツ数決定部１１６は、ユーザ選択要求検出部１０４により検出されたユーザの選択要求に応じて、必要な数の画像コンテンツを取得するように画像コンテンツ取得部１０６に指示するようにしてもよい。例えば、ユーザの選択により、１のコンテンツの画像コンテンツが表示画面に含まれないこととなった場合には、当該画像コンテンツに代えて表示する画像コンテンツを取得するように画像コンテンツ取得部１０６に指示する。画像コンテンツ取得部１０６は、画像コンテンツ数決定部１１６の指示により、既に表示コンテンツ管理部１１４に提供した画像コンテンツ以外の１の画像コンテンツを表示コンテンツ管理部１１４に提供する。
【００３９】
表示番号付与部１１８は、後述する表示画面生成部１１２により生成される表示画面に含まれる画像コンテンツに表示番号を付与する機能を有する。当該表示番号は、表示コンテンツ管理部１１４と表示画面生成部１１２に共通の番号であって、例えば、画像コンテンツ取得部１０６から提供された画像コンテンツに順番に付与するようにしてもよく、画像コンテンツリスト保持部１０８に保持された画像コンテンツを識別できるように一意に付与される番号である。これにより、表示コンテンツ管理部１１４および表示画面生成部１１２は、どの画像コンテンツを表示させたか、どの画像コンテンツが消去されたかを判別することが可能となる。
【００４０】
表示コンテンツ管理部１１４は、表示番号付与部１１８により付与された表示番号等を含む表示コンテンツ管理テーブル（図示せず）を有してもよい。コンテンツ管理テーブルは、例えば、表示数、表示番号、およびコンテンツ情報等を含んで構成される。コンテンツ情報とは、表示されるコンテンツのコンテンツＩＤ、コンテンツの位置情報、コンテンツのオフセット情報および再生時間などである。
【００４１】
画像コンテンツ移動部１２０は、ユーザ選択要求検出部１０４により検出されたユーザの選択要求に応じて、ユーザにより選択された画像コンテンツを、画像コンテンツ保持用フォルダに移動させる機能を有する。表示部１１０に表示された画像コンテンツのうち、ユーザは、不要な画像コンテンツを消去するためだけでなく、一時的または永続的に画像コンテンツを保持しておく画像コンテンツ保持用フォルダに画像コンテンツを移動させる選択をすることができる。例えば、マウスにより選択した画像コンテンツをドラッグ＆ドロップして画像コンテンツ保持用フォルダに移動させるようにしてもよい。画像コンテンツ保持用フォルダは、例えば、要、不要フォルダや、お気に入りランク別フォルダ等ユーザにより設定されるようにしてもよい。画像コンテンツによりコンテンツの内容を確認した後、直ぐにコンテンツを再生するのではなく、一時的に保持する場合に画像コンテンツ保持用フォルダを利用するようにしてもよい。
【００４２】
例えば、要、不要フォルダを作成して、コンテンツの内容を確認した後、必要であると判断した画像コンテンツを要フォルダに移動したり、不要であると判断した画像コンテンツを不要フォルダに移動したりする。また、星３つ、星２つ、星１つ等お気に入りランク別フォルダを作成して、コンテンツの内容を確認した後、特に気に入った場合には星３つフォルダに移動したり、まあまあ気に入った場合には星１つフォルダに移動したり、気に入らなかった場合にはどのフォルダにも移動せず画像コンテンツを消去するようにしてもよい。また、実際に各フォルダに画像コンテンツを移動するのではなく、上記の操作によってフォルダ毎に新しく画像コンテンツのリストを作成するようにしても良い。
【００４３】
デコーダ１２２は、表示コンテンツ管理部１１４から提供された画像コンテンツが圧縮されている場合等画像コンテンツをデコードする必要がある場合に、画像コンテンツをデコードして表示画面生成部１１２に提供する機能を有する。
【００４４】
表示画面生成部１１２は、画像コンテンツ取得部１０６により取得され、表示コンテンツ管理部１１４に提供された１または２以上の画像コンテンツを含む表示画面を生成する機能を有する。また、表示画面生成部１１２は、ユーザ選択要求検出部１０４により検出されたユーザの選択要求に応じて、ユーザにより選択された画像コンテンツを、表示画面に含まれる１または２以上の画像コンテンツとは異なる画像コンテンツに変更する機能を有する。また、表示画面生成部１１２は、ユーザ選択要求検出部１０４により検出されたユーザの選択要求に応じて、ユーザにより選択された画像コンテンツを非表示とするようにしてもよい。
【００４５】
例えば、画像コンテンツ数決定部１１６により表示部１１０に８の画像コンテンツを表示させることが可能であると決定された場合には、表示コンテンツ管理部１１４から提供された８のサムネイルを含む表示画面が生成される。そして、ユーザより、８の画像コンテンツのうちの１の画像コンテンツが選択された場合には、当該選択された画像コンテンツに代えて、表示コンテンツ管理部１１４から提供された先に表示された画像コンテンツとは異なる画像コンテンツを含む表示画面を生成する。
【００４６】
ユーザにより１の画像コンテンツが選択された場合に、当該選択された画像コンテンツを含まないその他の画像コンテンツを含む表示画面を生成するようにしてもよい。これにより、ユーザにより選択された画像コンテンツが非表示となる。その後に、表示コンテンツ管理部１１４から提供された先に表示された画像コンテンツとは異なる画像コンテンツを含む表示画面を生成するようにしてもよい。
【００４７】
また、表示画面生成部１１２は、表示すべき画像コンテンツの数に応じて画像コンテンツの表示位置を決定するようにしてもよい。例えば、画像コンテンツの表示数が４の場合と８の場合とで、画像コンテンツの表示位置を動的に変えるようにしてもよい。上記したように、表示画面に含まれる画像コンテンツには、表示番号が付与されている。したがって、画像コンテンツの表示位置が表示数に応じて変わった場合においても、画像コンテンツの表示番号に基づいてユーザにより選択されたコンテンツを特定することができる。
【００４８】
表示画面生成部１１２は、表示画面に含まれる画像コンテンツを管理する表示画面管理テーブル（図示せず）を有していてもよい。表示画面管理テーブルは、例えば、表示番号付与部１１８により付与されたコンテンツの表示番号と、表示座標や表示範囲等の画像コンテンツの表示位置の位置情報を対応付けて記憶している。また、表示数等を含んで構成される。
【００４９】
また、表示画面生成部１１２は、画像コンテンツと画像コンテンツを保持する画像コンテンツ保持用フォルダとを含む表示画面を生成するようにしてもよい。例えば、画像コンテンツ移動部１２０によって、表示された画像コンテンツが画像コンテンツ保持用フォルダに移動した場合に、移動した画像コンテンツを非表示とするようにしてもよい。表示画面生成部１１２により生成された表示画面は表示部１１０に提供される。
【００５０】
表示部１１０は、例えば、ＣＲＴ（Ｃａｔｈｏｄｅ  Ｒａｙ  Ｔｕｂｅ）ディスプレイ装置、液晶ディスプレイ（ＬＣＤ）装置、ＯＬＥＤ（Ｏｒｇａｎｉｃ  Ｌｉｇｈｔ  Ｅｍｉｔｔｉｎｇ  Ｄｉｓｐｌａｙ）装置およびランプなどの表示装置で構成される。表示部１１０は、例えば、表示画面生成部１１２により生成された画像コンテンツを含む表示画面をディスプレイに出力したりする。具体的には、表示装置は再生された映像データ等の各種情報をテキストまたはイメージで表示する。
【００５１】
位置情報取得部１２４は、表示部１１０に表示された画像コンテンツ等の位置情報を取得する機能を有する。例えば、表示された画像コンテンツに表示番号が付与されない場合や、表示番号が授受されない場合には、表示部に表示された画像コンテンツ等の位置情報からユーザにより選択されたコンテンツを検出することが可能となる。
【００５２】
以上、表示装置１００の機能構成について説明した。表示装置１００によれば、複数の画像コンテンツのリストを保持する画像コンテンツリスト保持部から表示部１１０に表示可能な複数の画像コンテンツが取得されて、当該画像コンテンツを含む表示画面が生成される。そして、ユーザにより表示画面に含まれる画像コンテンツが選択されると、表示画面に含まれる画像コンテンツとは異なる画像コンテンツが画像コンテンツリスト保持部１０８から取得される。表示画面生成部１１２は、選択された画像コンテンツに代えて、取得された画像コンテンツを含む表示画面を生成して、生成した表示画面が表示部１１０に表示される。
【００５３】
これにより、ユーザは、表示画面から不要となった画像コンテンツを選択した後に、表示させる画像コンテンツをリストから選択して表示せずとも、不要となった画像コンテンツを選択するだけで、表示されているコンテンツとは別の画像コンテンツを自動的に表示することが可能となる。すなわち、ユーザが所望のコンテンツを見つけるまで、不要なコンテンツを選択して消去させ、表示させるコンテンツを選択して表示させる行為を繰り返す必要がなくなり、ユーザは不要なコンテンツを選択するだけで、表示された画像コンテンツを順次に別のコンテンツに変更することが可能となった。以上、表示装置１００の機能構成について説明した。
【００５４】
次に、本実施形態にかかる表示装置１００における、画像コンテンツの表示方法について説明する。図２は、表示装置１００における画像コンテンツの表示方法を示したフローチャートである。図２に示したように、まず、表示対象となるコンテンツが存在するか否かを判定する（Ｓ１０２）。具体的には、画像コンテンツ取得部１０６が、画像コンテンツリスト保持部１０８に、表示部１１０に表示すべき画像コンテンツが存在するか否かを判定する。
【００５５】
ステップＳ１０２において、表示対象となるコンテンツが存在すると判定された場合には、表示部１１０に表示された表示エリアに空きがあるか否かが判定される（Ｓ１０４）。例えば、画像コンテンツ数決定部１１６により決定された画像コンテンツ数がＮであり、表示されている画像コンテンツの数がＮより少ないか否かを判定する。ステップＳ１０２において表示対象となるコンテンツが存在しないと判定された場合には、処理を終了する。
【００５６】
ステップＳ１０４において表示エリアに空きがあると判定された場合には、空いている表示エリアに画像コンテンツを表示する（Ｓ１０６）。そして、表示エリアに空きがなくなるまで、ステップＳ１０２〜ステップＳ１０６の処理が繰り返される。ステップＳ１０２〜ステップＳ１０６の処理によって、表示エリアに画像コンテンツが１つずつ埋められていくが、表示エリアに表示可能な数の画像コンテンツを最初にまとめて表示させるようにしてもよい。
【００５７】
ステップＳ１０４において表示エリアに空きがないと判定された場合には、未だ表示エリアに表示されていない表示対象コンテンツが存在するか否かが判定される（Ｓ１０８）。ステップＳ１０８において表示対象コンテンツが存在しないと判定された場合には、処理を終了する。ステップＳ１０８において表示対象コンテンツが存在すると判定された場合には、ユーザにより１の画像コンテンツが選択されたか否かを判定する（Ｓ１１０）。
【００５８】
ステップＳ１１０におけるユーザによる画像コンテンツの選択は、画像コンテンツを非表示とする処理でもよいし、画像コンテンツを予め用意されたフォルダに移動させる処理でもよい。ステップＳ１１０において、ユーザにより１の画像コンテンツが選択されたと判定された場合には、再度ステップＳ１０２〜ステップＳ１０６の処理が繰り返される。ステップＳ１１０において１の画像コンテンツが選択されない場合には、１の画像コンテンツが選択されるまで処理を中断する。以上、表示装置１００における画像コンテンツの表示方法について説明した。
【００５９】
次に、図３および図４に基づいて、表示部１１０に表示される表示画面の遷移について説明する。図３は、表示画面の遷移を説明するフローチャートであり、図４は、表示画面の内容を説明する説明図である。図３に示したように、表示対象コンテンツリストが存在する場合に（Ｓ１２０）、Ｎ個のコンテンツが表示される（Ｓ１２２）。ステップＳ１２２において、例えば、Ｎ＝８である場合には、図４の表示画面５０２に示したように、８個の画像コンテンツ（表示対象コンテンツリストの通し番号  １から８）が表示される。上記したように、表示画面５０２に含まれる８個の画像コンテンツの表示方法は、表示画面生成部１１２により決定される。
【００６０】
図３に戻り、ステップＳ１２２においてＮ個の画像コンテンツが表示された後に、ユーザにより１の画像コンテンツが選択されて消去される（Ｓ１２４）。ステップＳ１２４において１の画像コンテンツが選択されて消去されると、図４の表示画面５０４に示したように、８個の画像コンテンツのうち、ユーザにより選択された１の画像コンテンツ（表示対象コンテンツリストの通し番号  ３）が消去される。
【００６１】
図３に戻り、ステップＳ１２４において１の画像コンテンツが選択的に消去されると、次の画像コンテンツが消去された部分に表示される（Ｓ１２６）。例えば、表示可能なコンテンツの数が１０個であり、表示対象コンテンツリストから順次取得されて表示される場合には、ステップＳ１２２において、表示対象コンテンツリストの通し番号８までの画像コンテンツが表示される。そして、ステップＳ１２６において、表示対象コンテンツリストの通し番号９の画像コンテンツが、ステップＳ１２４において選択されて消去された表示対象コンテンツリストの通し番号３の画像コンテンツが表示されていた部分に表示される。図４の表示画面５０６は、ステップＳ１２６において、表示対象コンテンツリストの通し番号３の画像コンテンツの代わりに表示対象コンテンツリストの通し番号９の画像コンテンツを含む表示画面を示す。
【００６２】
図３に戻り、ユーザにより更に１の画像コンテンツが選択的に消去される（Ｓ１２８）。例えば、表示対象コンテンツリストの通し番号５の画像コンテンツがユーザにより選択されて消去された場合には、表示対象コンテンツリストの通し番号５の画像コンテンツが含まれない表示画面が生成される。図４の表示画面５０８は、表示対象コンテンツリストの通し番号５の画像コンテンツが選択的に消去された場合の表示画面を示す。
【００６３】
図３に戻り、ステップＳ１２８において１の画像コンテンツが選択的に消去されると、次の画像コンテンツが消去された部分に表示される（Ｓ１３０）。例えば、ステップＳ１２４において表示対象コンテンツリストの通し番号９の画像コンテンツが表示された場合には、表示対象コンテンツリストの通し番号９の次の画像コンテンツである表示対象コンテンツリストの通し番号１０の画像コンテンツがステップＳ１２８において選択されて消去された表示対象コンテンツリストの通し番号５の画像コンテンツが表示されていた部分に表示される。図４の表示画面５１０は、ステップＳ１３０において、表示対象コンテンツリストの通し番号５の画像コンテンツの代わりに表示対象コンテンツリストの通し番号１０の画像コンテンツを含む表示画面を示す。
【００６４】
図３および図４においては、ユーザにより表示された画像コンテンツが選択的に消去され、表示画面から非表示となる場合について説明したが、かかる例に限定されない。例えば、ユーザにより表示された画像コンテンツが選択されると、選択された画像コンテンツを非表示にせず、選択された画像コンテンツに代えて次の画像コンテンツを表示するようにしてもよい。すなわち、ユーザにより画像コンテンツが選択されると、選択された画像コンテンツを次にリストされた画像コンテンツと変更するようにしてもよい。以上、表示部１１０に表示される表示画面の遷移について説明した。
【００６５】
次に、図５に基づいて、画像コンテンツ保持用フォルダを含む表示画面について説明する。図５は、画像コンテンツ保持用フォルダを含む表示画面について説明する説明図である。図５に示したように、複数の画像コンテンツ５２２と、画像コンテンツ保持用フォルダ５２４を含む表示画面５２０を生成して表示させるようにすることもできる。図５は、画像コンテンツ保持用フォルダ５２４としてお気に入りランク別フォルダが含まれる表示画面５２０を示した。上記したように、お気に入りランク別フォルダは、例えば、星３つ、星２つ、星１つ等が付されたフォルダであり、コンテンツの内容に応じて、特に気に入った場合には星３つフォルダに移動したり、まあまあ気に入った場合には星１つフォルダに移動したりすることができるフォルダである。
【００６６】
この場合にも、Ｎ個の画像コンテンツのうち１の画像コンテンツが画像コンテンツ保持用フォルダ５２４に移動されると、次にリストされた画像コンテンツが移動されて非表示となったエリアに表示されることとなる。また、お気に入りランク別フォルダに保持する必要のないコンテンツであると判断した場合には、当該コンテンツを選択して非表示とさせるようにしてもよい。以上、サムネイル保持用フォルダを含む表示画面について説明した。
【００６７】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【図面の簡単な説明】
【００６８】
【図１】本発明の実施形態にかかる表示装置の機能構成を示したブロック図である。
【図２】同実施形態にかかる表示装置における表示方法を示したフローチャートである。
【図３】同実施形態にかかる表示画面の遷移を説明するフローチャートである。
【図４】同実施形態にかかる表示画面の内容を説明する説明図である。
【図５】同実施形態にかかる画像コンテンツ保持用フォルダを含む表示画面について説明する説明図である。
【符号の説明】
【００６９】
１００    表示装置
１０２    ユーザ入力部
１０４    ユーザ選択要求検出部
１０６    画像コンテンツ取得部
１０８    画像コンテンツリスト保持部
１１０    表示部
１１２    表示画面生成部
１１６    画像コンテンツ数決定部
１１８    表示番号付与部
１２０    画像コンテンツ移動部
【図１】
2009181321.tif 000003
【図２】
2009181321.tif 000004
【図３】
2009181321.tif 000005
【図４】
2009181321.tif 000006
【図５】
2009181321.tif 000007